(57)【要約】【課題】  予め設定された検索条件に従って検索処理を実行する予約検索システムにおいて、検索対象となる記憶装置に対して検索処理を実行する時に、記憶装置がネットワーク上でオフラインの場合や、記憶装置が電源オフの場合、またはメディアがセットされていない場合などは検索処理を実行することができないという課題がある。【解決手段】  検索対象となる記憶装置の接続（記憶装置がネットワーク上でオンライン、記憶装置が電源オン、または使用メディアの交換）を検知する手段と、検知された該記憶装置に対して予約検索を実行する手段と、検索された結果を通知する手段を備えた。また、使用メディアの交換の場合は、セットまたは取り出されたメディアを識別する手段と、同一メディアであるかを判定する手段を備えた。【選択図】  図２
2007048055.tif 000002
【特許請求の範囲】
【請求項１】
予め設定された検索条件に従って検索処理を実行する予約検索システムにおいて、検索対象となる記憶装置の接続を検知する記憶装置検知手段と、前記記憶装置検知手段において検知された該記憶装置に対して予約検索を実行する予約検索実行手段と、前記予約検索実行手段において検索された結果を通知する検索結果通知手段とを備えることを特徴とする情報検索装置。
【請求項２】
前記検索対象となる記憶装置の接続を検知する記憶装置検知手段において、記憶装置がネットワークを介して接続された場合は、オンラインを検知する手段を備えることを特徴とする請求項１に記載の情報検索装置。
【請求項３】
前記検索対象となる記憶装置の接続を検知する記憶装置検知手段において、記憶装置の電源オンを検知する手段を備えることを特徴とする請求項１に記載の情報検索装置。
【請求項４】
前記検索対象となる記憶装置の接続を検知する記憶装置検知手段において、記憶装置がメディアの着脱が可能な場合は、メディアのセットを検知する手段を備えることを特徴とする請求項１に記載の情報検索装置。
【請求項５】
前記記憶装置がメディアの着脱が可能な場合、メディアのセットを検知する手段において、メディアを識別するメディア識別手段と、前記メディア識別手段においてセットされたメディアと、取り出されたメディアを判定するメディア判定手段とを備えることを特徴とする請求項４に記載の情報検索装置。
【請求項６】
前記セットされたメディアと、取り出されたメディアを判定するメディア判定手段において、メディアが同一であると判定された場合は、予約検索を実行しない手段を備えることを特徴とする請求項５に記載の情報検索装置。
【請求項７】
予め設定された検索条件に従って検索処理を実行する予約検索システムにおいて、検索対象となる記憶装置の接続を検知する記憶装置検知ステップと、前記記憶装置検知ステップにおいて検知された該記憶装置に対して予約検索を実行する予約検索実行ステップと、前記予約検索実行ステップにおいて検索された結果を通知する検索結果通知ステップとを有することを特徴とする情報検索方法。
【請求項８】
前記検索対象となる記憶装置の接続を検知する記憶装置検知ステップにおいて、記憶装置がネットワークを介して接続された場合は、オンラインを検知するステップを有することを特徴とする請求項７に記載の情報検索方法。
【請求項９】
前記検索対象となる記憶装置の接続を検知する記憶装置検知ステップにおいて、記憶装置の電源オンを検知するステップを有することを特徴とする請求項７に記載の情報検索方法。
【請求項１０】
前記検索対象となる記憶装置の接続を検知する記憶装置検知ステップにおいて、記憶装置がメディアの着脱が可能な場合は、メディアのセットを検知するステップを有することを特徴とする請求項７に記載の情報検索方法。
【請求項１１】
前記記憶装置がメディアの着脱が可能な場合、メディアのセットを検知するステップにおいて、メディアを識別するメディア識別ステップと、前記メディア識別ステップにおいてセットされたメディアと、取り出されたメディアを判定するメディア判定ステップとを有することを特徴とする請求項１０に記載の情報検索方法。
【請求項１２】
前記セットされたメディアと、取り出されたメディアを判定するメディア判定ステップにおいて、メディアが同一であると判定された場合は、予約検索を実行しないステップを有することを特徴とする請求項１１に記載の情報検索方法。
【請求項１３】
予め設定された検索条件に従って検索処理を実行する予約検索システムにおいて、検索対象となる記憶装置の接続を検知する記憶装置検知ステップのプログラムコードと、前記記憶装置検知ステップのプログラムコードにおいて検知された該記憶装置に対して予約検索を実行する予約検索実行ステップのプログラムコードと、前記予約検索実行ステップのプログラムコードにおいて検索された結果を通知する検索結果通知ステップのプログラムコードとを有することを特徴とするコンピュータ可読記憶媒体。
【請求項１４】
前記検索対象となる記憶装置の接続を検知する記憶装置検知ステップのプログラムコードにおいて、記憶装置がネットワークを介して接続された場合は、オンラインを検知するステップのプログラムコードを有することを特徴とする請求項１３に記載のコンピュータ可読記憶媒体。
【請求項１５】
前記検索対象となる記憶装置の接続を検知する記憶装置検知ステップのプログラムコードにおいて、記憶装置の電源オンを検知するステップのプログラムコードを有することを特徴とする請求項１３に記載のコンピュータ可読記憶媒体。
【請求項１６】
前記検索対象となる記憶装置の接続を検知する記憶装置検知ステップのプログラムコードにおいて、記憶装置がメディアの着脱が可能な場合は、メディアのセットを検知するステップのプログラムコードを有することを特徴とする請求項１３に記載のコンピュータ可読記憶媒体。
【請求項１７】
前記記憶装置がメディアの着脱が可能な場合、メディアのセットを検知するステップのプログラムコードにおいて、メディアを識別するメディア識別ステップのプログラムコードと、前記メディア識別ステップのプログラムコードにおいてセットされたメディアと、取り出されたメディアを判定するメディア判定ステップのプログラムコードとを有することを特徴とする請求項１６に記載のコンピュータ可読記憶媒体。
【請求項１８】
前記セットされたメディアと、取り出されたメディアを判定するメディア判定ステップのプログラムコードにおいて、メディアが同一であると判定された場合は、予約検索を実行しないステップのプログラムコードを有することを特徴とする請求項１７に記載のコンピュータ可読記憶媒体。
【発明の詳細な説明】
【技術分野】
【０００１】
本発明は、予め設定された検索条件に従って検索処理を実行する予約検索システムにおいて、検索対象となる記憶装置の接続を契機として、検索条件に従って検索処理を実行する装置、その方法、記憶媒体に関するものである。
【背景技術】
【０００２】
従来、予め設定された検索条件に従って検索処理を実行する予約検索システムにおいて、指定された検索処理を実行する時間を契機として、検索条件に従って検索処理を実行するものであった。また、新着の情報を逐次追加し、該新着情報を含む検索対象の情報を記憶・保持しておき、該新着情報の到着時期か指定された時期の何れかを契機として、予め登録した検索条件による予約検索を新着情報に対して適用するものであった（例えば、<特許文献１>参照）。また、ユーザが必要とするデータの種類や検索条件などをあらかじめ登録しておき、データベースのデータ更新を検知して、更新のあったデータベースを指定された検索条件で更新部分を検索するものであった（例えば、<特許文献２>参照）。また、ディスクドライブにディスクがセットされたことを検出し、再生処理モジュールを実行する。また、ディスクドライブからディスクが取り出されたことを検出し、再生処理モジュールを終了する技術もある（例えば、<特許文献３>参照）。
【特許文献１】特開平６−２０３０７６号公報
【特許文献２】特開平１１−１２０１９０号公報
【特許文献３】特開平９−６２４５７号公報
【発明の開示】
【発明が解決しようとする課題】
【０００３】
しかしながら、上記のような従来技術の場合では、予め設定された検索条件に従って検索処理を実行する予約検索システムにおいて、検索対象となる記憶装置に対して検索処理を実行する時に、記憶装置がネットワーク上でオフラインの場合や、記憶装置が電源オフの場合、または使用中のメディアに目的のコンテンツ、データが存在しない場合などは検索することができなかった。
【０００４】
本発明は、上記の従来技術の課題を解決するためになされたもので、その目的とするところは、予め設定された検索条件に従って検索処理を実行する予約検索システムにおいて、検索対象となる記憶装置がネットワーク上でオンライン、記憶装置が電源オン、または使用メディアの交換を検知し、検知した記憶装置に対して、予め設定された検索条件による検索処理を実行できることである。また、使用メディアの交換を検知した時、セットされたメディアと、取り出されたメディアが異なる場合に、予め設定された検索条件による検索処理を実行できることである。
【課題を解決するための手段】
【０００５】
上記の目的を達成するために本発明による情報検索装置は以下の構成を備える。
【０００６】
即ち、予め設定された検索条件に従って検索処理を実行する予約検索システムにおいて、検索対象となる記憶装置の接続を検知する記憶装置検知手段と、前記記憶装置検知手段において検知された該記憶装置に対して予約検索を実行する予約検索実行手段と、前記予約検索実行手段において検索された結果を通知する検索結果通知手段とを備えることを特徴とする。
【０００７】
また、前記検索対象となる記憶装置の接続を検知する記憶装置検知手段において、記憶装置がネットワークを介して接続された場合は、オンラインを検知する手段を備えることを特徴とする。
【０００８】
また、前記検索対象となる記憶装置の接続を検知する記憶装置検知手段において、記憶装置の電源オンを検知する手段を備えることを特徴とする。
【０００９】
また、前記検索対象となる記憶装置の接続を検知する記憶装置検知手段において、記憶装置がメディアの着脱が可能な場合は、メディアのセットを検知する手段を備えることを特徴とする。
【００１０】
また、前記記憶装置がメディアの着脱が可能な場合、メディアのセットを検知する手段において、メディアを識別するメディア識別手段と、前記メディア識別手段においてセットされたメディアと、取り出されたメディアを判定するメディア判定手段とを備えることを特徴とする。
【００１１】
また、前記セットされたメディアと、取り出されたメディアを判定するメディア判定手段において、メディアが同一であると判定された場合は、予約検索を実行しない手段を備えることを特徴とする。
【００１２】
上記の目的を達成するために本発明による情報検索方法は以下の構成を有する。
【００１３】
即ち、予め設定された検索条件に従って検索処理を実行する予約検索システムにおいて、検索対象となる記憶装置の接続を検知する記憶装置検知ステップと、前記記憶装置検知ステップにおいて検知された該記憶装置に対して予約検索を実行する予約検索実行ステップと、前記予約検索実行ステップにおいて検索された結果を通知する検索結果通知ステップとを有することを特徴とする。
【００１４】
また、前記検索対象となる記憶装置の接続を検知する記憶装置検知ステップにおいて、記憶装置がネットワークを介して接続された場合は、オンラインを検知するステップを有することを特徴とする。
【００１５】
また、前記検索対象となる記憶装置の接続を検知する記憶装置検知ステップにおいて、記憶装置の電源オンを検知するステップを有することを特徴とする。
【００１６】
また、前記検索対象となる記憶装置の接続を検知する記憶装置検知ステップにおいて、記憶装置がメディアの着脱が可能な場合は、メディアのセットを検知するステップを有することを特徴とする。
【００１７】
また、前記記憶装置がメディアの着脱が可能な場合、メディアのセットを検知するステップにおいて、メディアを識別するメディア識別ステップと、前記メディア識別ステップにおいてセットされたメディアと、取り出されたメディアを判定するメディア判定ステップとを有することを特徴とする。
【００１８】
また、前記セットされたメディアと、取り出されたメディアを判定するメディア判定ステップにおいて、メディアが同一であると判定された場合は、予約検索を実行しないステップを有することを特徴とする。
【００１９】
上記の目的を達成するために本発明による情報検索方法を記録した記憶媒体は以下の構成を有する。
【００２０】
即ち、予め設定された検索条件に従って検索処理を実行する予約検索システムにおいて、検索対象となる記憶装置の接続を検知する記憶装置検知ステップのプログラムコードと、前記記憶装置検知ステップのプログラムコードにおいて検知された該記憶装置に対して予約検索を実行する予約検索実行ステップのプログラムコードと、前記予約検索実行ステップのプログラムコードにおいて検索された結果を通知する検索結果通知ステップのプログラムコードとを有することを特徴とする。
【００２１】
また、前記検索対象となる記憶装置の接続を検知する記憶装置検知ステップのプログラムコードにおいて、記憶装置がネットワークを介して接続された場合は、オンラインを検知するステップのプログラムコードを有することを特徴とする。
【００２２】
また、前記検索対象となる記憶装置の接続を検知する記憶装置検知ステップのプログラムコードにおいて、記憶装置の電源オンを検知するステップのプログラムコードを有することを特徴とする。
【００２３】
また、前記検索対象となる記憶装置の接続を検知する記憶装置検知ステップのプログラムコードにおいて、記憶装置がメディアの着脱が可能な場合は、メディアのセットを検知するステップのプログラムコードを有することを特徴とする。
【００２４】
また、前記記憶装置がメディアの着脱が可能な場合、メディアのセットを検知するステップのプログラムコードにおいて、メディアを識別するメディア識別ステップのプログラムコードと、前記メディア識別ステップのプログラムコードにおいてセットされたメディアと、取り出されたメディアを判定するメディア判定ステップのプログラムコードとを有することを特徴とする。
【００２５】
また、前記セットされたメディアと、取り出されたメディアを判定するメディア判定ステップのプログラムコードにおいて、メディアが同一であると判定された場合は、予約検索を実行しないステップのプログラムコードを有することを特徴とする。
【発明の効果】
【００２６】
本発明によれば、予め設定された検索条件に従って検索処理を実行する予約検索システムにおいて、検索対象となる記憶装置がネットワーク上でオンライン、記憶装置が電源オン、または使用メディアの交換を検知し、検知された記憶装置のみに対して、予め設定された検索条件による検索処理を実行することで、通常の予約検索および通常の予約検索では検索処理が実行できない記憶装置の一時的な接続時の検索ができ、検索における精度の向上、また操作性の向上が可能になる。また、使用メディアの交換を検知した時、セットされたメディアと、取り出されたメディアを判断することで、同一メディアと判断した場合は、検索を実行しないことで、応答性能の向上（高速化）が可能になる。
【発明を実施するための最良の形態】
【００２７】
＜実施形態１＞
以下、図面を参照して本発明の好適な実施形態を詳細に説明する。
【００２８】
図１は、本発明実施形態の情報検索装置の構成を示す図である。図１において１０１はマイクロプロセッサＣＰＵ（Ｃｅｎｔｒａｌ  Ｐｒｏｃｅｓｓｉｎｇ  Ｕｎｉｔ）であり、情報検索のための演算、論理判断等を行い、バス１０９を介して、それらのバスに接続された各構成要素を制御する。１０２は読出し専用の固定メモリＲＯＭ（Ｒｅａｄ  Ｏｎｌｙ  Ｍｅｍｏｒｙ）であり、本実施形態で実行される処理プログラム等の制御プログラムコードを記憶する。１０３は書き込み可能なＲＡＭ（Ｒａｎｄａｍ  Ａｃｃｅｓｓ  Ｍｅｍｏｒｙ）であり、各構成要素からの各種データの一時記憶に用いられる。１０４は入力装置であり、アルファベットキー、ひらがなキー、カタカナキー、句点等の文字記号入力キー、検索を指示する検索キー及び、カーソル移動を指示するカーソル移動キー等のような各種の機能キーを備えたキーボードおよびＧＵＩ（Ｇｒａｐｈｉｃａｌ  Ｕｓｅｒ  Ｉｎｔｅｒｆａｃｅ）上で画面の制御可能位置を指し示し、また機能の選択指示などを行うポインティング機器、例えばマウスやスティックポインタなどが接続されている。１０５は陰極線管ＣＲＴ（Ｃａｔｈｏｄｅ−Ｒａｙ  Ｔｕｂｅ）や液晶パネル等の表示装置であり、その表示装置におけるドット構成の表示パターンおよびカーソルの表示を表示装置コントローラ１０６で制御する。１０７は外部記憶装置であり、検索対象情報や種々の情報が格納される。また、これらのデータ及びプログラムを格納する記憶媒体としては、ＲＯＭ、フレキシブルディスク、ＣＤ−ＲＯＭ、ＤＶＤ−ＲＯＭ、メモリカード、光磁気ディスクなどを用いることができる。１０８は通信装置であり、ネットワークに接続し、図２に示す本発明の実施形態の情報検索装置の機能構成を示すブロック図において複数の記憶装置を接続する役割を担う。
【００２９】
かかる各構成要素からなる情報処理装置においては、入力装置１０４からの各種の入力及び通信装置１０８から供給されるネットワーク経由の各種入力に応じて作動するものであって、入力装置１０４からの入力及び通信装置１０８からの入力が供給されると、まず、インタラプト信号がＣＰＵ１０１に送られ、そのＣＰＵ１０１が外部記憶装置１０７内に記憶してある各種の制御信号を読出し、それらの制御信号に従って、各種の制御が行われる。
【００３０】
また、本発明に係わるプログラムを格納した記憶媒体をシステムあるいは装置に供給し、そのシステムあるいは装置のコンピュータが、記憶媒体に格納されたプログラムコードを読み出し実行することによっても本発明は達成される。
【００３１】
図２は、本発明実施形態の情報検索装置の機能構成を示すブロック図である。図２において、２０１は検索条件設定部であり、予約検索を実行する条件として、検索クエリおよび検索を実行する時間を設定する。２０２は検索結果表示であり、検索条件設定部２０１で設定された検索条件による予約検索を実行した際の検索結果を取得し、表示装置１０５に表示する。２０３は２０１乃至２０２を保持するクライアントであり、クライアント２０３は検索条件の設定と、該検索条件による検索の結果を表示する。２１１は検索条件管理部であり、検索条件設定部２０１で設定された検索条件を取得し、管理し、検索実行時に提供する。２１２は記憶装置検知部であり、記憶装置２２１、２２２の接続を検知する。記憶装置の接続として、ネットワーク上の記憶装置２２１のオンライン、記憶装置２２２の電源オン、または使用メディアの交換を検知する。２１３は予約検索実行部であり、記憶装置検知部２１２で検知された記憶装置に対して、検索条件管理部２１１で管理している検索条件による検索を実行する。２１４は検索結果通知部であり、予約検索実行部２１３で実行された検索結果を取得し、クライアント２０３に通知する。２１５は２１１乃至２１４を保持するサーバであり、サーバ２１５は検索条件の管理、記憶装置の検知、予約検索の実行および検索結果を通知する。２２１、２２２は記憶装置であり、２２１はネットワークを介して接続された場合であり、２２２は直接、情報検索装置に接続された場合である。
【００３２】
図３は、本発明実施形態の情報検索装置の動作、より具体的にはクライアント２０３におけるマイクロプロセッサＣＰＵの処理手順を示すフローチャートである。ステップＳ３０１は予約検索を実行する条件として、検索クエリおよび検索を実行する時間を設定し、通知する。例えば、図５のような検索条件を設定する。ここでは、検索クエリとしてタイトルが「株主優待」を、検索時間（検索処理を実行する時間）として毎日１２：００を設定する。ステップＳ３０２はステップＳ３０１において設定された検索条件による予約検索を実行した際の検索結果を取得する。ステップＳ３０３はステップＳ３０２において取得された検索結果を表示装置１０５に表示する。例えば、図７のような検索結果を表示する。ここでは、検索結果としてＵＲＩとスコアを表示する。
【００３３】
図４は、本発明実施形態１の情報検索装置の動作、より具体的にはサーバ２１５においてマイクロプロセッサＣＰＵの処理手順を示すフローチャートである。ステップＳ４０１はステップＳ３０１において設定し、通知された検索条件を取得する。ステップＳ４０２は記憶装置の接続を監視する。記憶装置の接続として、ネットワーク上の記憶装置のオンライン、記憶装置の電源オン、または使用メディアの交換を監視する。ステップＳ４０３は記憶装置の接続が検知されたか否かを判断する。記憶装置の接続が検知された場合は処理をステップＳ４０４に進め、それ以外の場合は処理をステップＳ４０２に戻す。なお、記憶装置の接続として、ネットワーク上の記憶装置のオンライン、記憶装置の電源オン、または使用メディアの交換を検知する。例えば、図６のような記憶装置リストは、検知された記憶装置の情報と検知の種別から構成され、またステータス「新規」の記憶装置は新たに検知されたことを示している。ステップＳ４０４は予約検索を実行する。例えば、図６のステータス「新規」のような新たに検知された記憶装置「１２３．４５．６７．４６」のみに対して、ステップＳ４０１で取得された検索条件「タイトル：株主優待」による予約検索を実行する。ステップＳ４０５は検索結果を通知する。例えば、ステップＳ４０４で実行された図７のような検索結果「ｈｔｔｐ：／／１２３．４５．６７．４６／小売業．ｈｔｍｌ」、「ｈｔｔｐ：／／１２３．４５．６７．４６／食料品．ｈｔｍｌ」等をクライアント２０３に通知する。
【００３４】
図５は、本発明実施形態の検索条件の設定を示す図である。例えば、予約検索を実行する条件として、検索クエリおよび検索を実行する時間を設定する。ここでは、検索クエリとしてタイトルが「株主優待」を、検索時間（検索処理を実行する時間）として毎日１２：００を設定する。
【００３５】
図６は、本発明実施形態の記憶装置リストを示す図である。例えば、記憶装置リストは、検知された記憶装置の情報と検知の種別から構成され、またステータス「新規」の記憶装置は新たに検知されたことを示している。ここでは、ステータス「新規」の記憶装置として記憶装置「１２３．４５．６７．４６」、検知種別「メディア交換」が検出されたことを示している。
【００３６】
図７は、本発明実施形態の検索結果を示す図である。例えば、検索結果としてＵＲＩとスコアが出力されている。ここでは、検索結果としてＵＲＩ「ｈｔｔｐ：／／１２３．４５．６７．４６／小売業．ｈｔｍｌ」、スコア「９０」と、ＵＲＩ「ｈｔｔｐ：／／１２３．４５．６７．４６／食料品．ｈｔｍｌ」、スコア「８０」等が出力されたことを示している。
【００３７】
＜実施形態２＞
なお、本発明は上述の実施形態１に限定されるのではなく、本発明の趣旨を逸脱しない限りにおいて適宜変更が可能である。
【００３８】
本発明実施形態２の情報検索装置の構成を示す図は、図１と同じである。また、本発明実施形態２の情報検索装置の機能構成を示すブロック図は、図２と同じである。また、本発明実施形態２の情報検索装置の動作、より具体的にはクライアント２０３におけるマイクロプロセッサＣＰＵの処理手順を示すフローチャートは、図３と同じである。また、本発明実施形態２の検索条件の設定を示す図は、図５と同じである。また、本発明実施形態２の記憶装置リストを示す図は、図６と同じである。また、本発明実施形態２の検索結果を示す図は、図７と同じである。
【００３９】
図８は、本発明実施形態２の情報検索装置の動作、より具体的にはサーバ２１５においてマイクロプロセッサＣＰＵの処理手順を示すフローチャートである。ステップＳ８０１はステップＳ３０１において設定し、通知された検索条件を取得する。ステップＳ８０２は記憶装置の接続を監視する。記憶装置の接続として、ネットワーク上の記憶装置のオンライン、記憶装置の電源オン、または使用メディアの交換を監視する。ステップＳ８０３は記憶装置の接続が検知されたか否かを判断する。記憶装置の接続が検知された場合は処理をステップＳ８０４に進め、それ以外の場合は処理をステップＳ８０２に戻す。なお、記憶装置の接続として、ネットワーク上の記憶装置のオンライン、記憶装置の電源オン、または使用メディアの交換を検知する。例えば、図６のような記憶装置リストは、検知された記憶装置の情報と検知の種別から構成され、またステータス「新規」の記憶装置は新たに検知されたことを示している。ステップＳ８０４は新たに検知された記憶装置がメディアの着脱が可能なメディア機器であるか否かを判断する。記憶装置がメディア機器の場合は処理をステップＳ８０５に進め、それ以外の場合は処理をステップＳ８０６に進める。ステップＳ８０５はメディア機器において取り出されたメディアとセットされたメディアが同一であるか否かを判断する。メディアが異なる場合は処理をステップＳ８０６に進め、メディアが同一の場合は処理をステップＳ８０２に戻す。例えば、図９のようなメディアセットリストは、メディアがセットされた時間とメディアの内容から構成され、内容の同じメディアが続いてセットされた場合は、同一メディアと判断する。Ｓ８０６は予約検索を実行する。例えば、図６のステータス「新規」のような新たに検知された記憶装置「１２３．４５．６７．４６」のみに対して、ステップＳ８０１で取得された検索条件「タイトル：株主優待」による予約検索を実行する。ステップＳ８０７は検索結果を通知する。例えば、ステップＳ４０４で実行された図７のような検索結果「ｈｔｔｐ：／／１２３．４５．６７．４６／小売業．ｈｔｍｌ」、「ｈｔｔｐ：／／１２３．４５．６７．４６／食料品．ｈｔｍｌ」等をクライアント２０３に通知する。
【００４０】
図９は、本発明実施形態２のメディアセットリストを示す図である。例えば、メディアセットリストは、メディアがセットされた時間とメディアの内容から構成される。ここでは、時間「２００５／０３／２９  ０９：２９：１３」、内容「新規公開株式」と、時間「２００５／０３／２９  １４：５６：３１」、内容「新規公開株式」は続いてセットされているので同一メディアと判断し、時間「２００５／０３／２９  １４：５６：３１」、内容「新規公開株式」と、時間「２００５／０３／２９  １５：４１：４８」、内容「株主優待」は異なるメディアと判断する。
【図面の簡単な説明】
【００４１】
【図１】本発明実施形態の情報検索装置の構成を示す図である。
【図２】本発明実施形態の情報検索装置の機能構成を示すブロック図である。
【図３】本発明実施形態の情報検索装置の動作、より具体的にはクライアント２０３におけるマイクロプロセッサＣＰＵの処理手順を示すフローチャートである。
【図４】本発明実施形態１の情報検索装置の動作、より具体的にはサーバ２１５においてマイクロプロセッサＣＰＵの処理手順を示すフローチャートである。
【図５】本発明実施形態の検索条件の設定を示す図である。
【図６】本発明実施形態の記憶装置リストを示す図である。
【図７】本発明実施形態の検索結果を示す図である。
【図８】本発明実施形態２の情報検索装置の動作、より具体的にはサーバ２１５においてマイクロプロセッサＣＰＵの処理手順を示すフローチャートである。
【図９】本発明実施形態２のメディアセットリストを示す図である。
【符号の説明】
【００４２】
１０１  ＣＰＵ
１０２  ＲＯＭ
１０３  ＲＡＭ
１０４  入力装置
１０５  表示装置
１０６  表示コントローラ
１０７  外部記憶装置
１０８  通信装置
１０９  ＢＵＳ
【図１】
2007048055.tif 000003
【図２】
2007048055.tif 000004
【図３】
2007048055.tif 000005
【図４】
2007048055.tif 000006
【図５】
2007048055.tif 000007
【図６】
2007048055.tif 000008
【図７】
2007048055.tif 000009
【図８】
2007048055.tif 000010
【図９】
2007048055.tif 000011